(57)【要約】【課題】室内からの眺望を確保し、且つ地上からの騒音が室内に入るのを効率良く防ぐことができるルーバー構造を提供する。【解決手段】建築物の外壁Ｗに、外壁Ｗの壁面に直交する方向に沿って間隔Λをあけて複数配置された羽根１２と、複数の羽根１２を支持する支持体１４と、を備え、羽根１２における外壁Ｗの壁面に対向する面には、第一音反射面１２ａが設けられ、羽根１２における第一音反射面１２ａの反対側の面には、第二音反射面１２ｂが設けられ、第二音反射面１２ｂに複数の羽根１２の下方から入射する音波を捕捉する音捕捉部３０が形成され、第二音反射面１２ｂの上端部の仮想接線Ｊ２が、下から上に向うに従って前記建築物から離間する方向に傾斜している。【選択図】図３
2018059322.tif 000002
【特許請求の範囲】
【請求項１】
建築物の壁面の外側に、前記壁面に直交する方向に沿って所定の間隔をあけて複数配置された羽根と、
前記複数の羽根を支持する支持体と、を備え、
前記羽根における前記壁面に対向する面には、第一音反射面が設けられ、
前記羽根における前記第一音反射面の反対側の面には、第二音反射面が設けられ、
前記第二音反射面には、前記複数の羽根の下方から入射する音を捕捉する音捕捉部が形成されていることを特徴とするルーバー構造。
【請求項２】
前記第二音反射面の下端部の仮想接線が、下から上に向うに従って前記壁面に近接する方向に傾斜していることを特徴とする請求項１に記載のルーバー構造。
【請求項３】
前記第二音反射面には、前記音捕捉部で捕捉された前記音を前記羽根の上方に向けて出射する音出射部が形成されていることを特徴とする請求項１または請求項２に記載のルーバー構造。
【請求項４】
前記第二音反射面の上端部の仮想接線が、下から上に向うに従って前記壁面から離間する方向に傾斜していることを特徴とする請求項３に記載のルーバー構造。
【請求項５】
建築物の壁面に、上下方向に沿って配置された複数の羽根と、
前記複数の羽根を支持する支持体と、を備え、
前記羽根における前記建築物の室外側の面には、第三音反射面が設けられ、
前記第三音反射面には、前記複数の羽根の下方から入射する音波を捕捉する音捕捉部が形成されていることを特徴とするルーバー構造。
【請求項６】
前記第三音反射面の下端部の仮想接線が、下から上に向うに従って前記壁面に近接する方向に傾斜していることを特徴とする請求項５に記載のルーバー構造。
【請求項７】
前記第三音反射面に、前記音捕捉部で捕捉された前記音波を前記羽根の上方に向けて出射する音出射部が形成されていることを特徴とする請求項５または請求項６に記載のルーバー構造。
【請求項８】
前記第三音反射面の上端部の仮想接線が、下から上に向うに従って前記壁面から離間する方向に傾斜していることを特徴とする請求項７に記載のルーバー構造。
【発明の詳細な説明】
【技術分野】
【０００１】
本発明は、ルーバー構造に関するものであって、特に建築物の外壁に取り付けて使用されるルーバー構造に関する。
【背景技術】
【０００２】
従来から、光や風・雨等を選択的に遮断するため、建築物には、ルーバーを設けることがある。ルーバーは、羽根又は羽板と呼ばれる細長い板を、枠体に隙間をあけて平行に複数並べて配置したものである。例えば、特許文献１には建物用外壁ルーバーが開示されている。
【先行技術文献】
【特許文献】
【０００３】
【特許文献１】特開２０１５−２２４５０７号公報
【発明の概要】
【発明が解決しようとする課題】
【０００４】
しかしながら、特許文献１の建物用外壁ルーバーは光や風・雨等を選択的に遮断することはできるものの、建物外部の地上からの騒音が建築物の内部（室内）に入るのを防ぐことが困難であるという問題があった。最近では、所謂、防音ルーバーが提案されているが、吸音材を含むルーバーの構成が複雑になるうえに、近年、都市部を中心に、高速道路等の交通機関や工場、商業施設、保育施設等から発せられる地上からの騒音が室内に入るのを効率良く防ぐことは困難であった。
【０００５】
本発明者は、都市生活の中の機械やエンジン音等の地上からの騒音は上方に達する程、大きくなる点に着眼し、下方から入射する音波が室内に入るのを効率良く防ぐためのルーバー構造について検討を重ねた。そして、本発明者は、吸音材等を用いずに、下方からの音波をルーバー構造の上方に、且つ、建築物から離間する方向に出射させるのが有益であることを見出し、本発明を完成させるに至った。
【０００６】
本発明は、室内からの眺望を確保し、且つ地上からの騒音が室内に入るのを効率良く防ぐことができるルーバー構造を提供する。
【課題を解決するための手段】
【０００７】
請求項１記載のルーバー構造は、建築物の壁面の外側に、前記壁面に直交する方向に沿って所定の間隔をあけて複数配置された羽根と、前記複数の羽根を支持する支持体と、を備え、前記羽根における前記壁面に対向する面には、第一音反射面が設けられ、前記羽根における前記第一音反射面の反対側の面には、第二音反射面が設けられ、前記第二音反射面には、前記複数の羽根の下方から入射する音波を捕捉する音捕捉部が形成されていることを特徴とする。
【０００８】
上述の構成によれば、複数の羽根を建築物の壁面に直交する方向（即ち、略水平方向）に沿って配置することで、庇状のルーバー構造が得られ、室内からの眺望が確保される。また、ルーバー構造の下方からルーバー構造に入射する音（即ち、音波）は、第二音反射面に形成された音捕捉部によって、羽根における第一音反射面と該羽根の屋外側に隣り合って配置されている羽根における第二音反射面との間に形成された空間に導入されると共に捕捉される。このように、交通騒音をはじめ地上からの騒音がルーバー構造の音捕捉部に捕捉されることで、騒音等の音波の室内への進入が抑えられ、室内の遮音性能が向上する。
【０００９】
請求項２記載のルーバー構造は、前記第二音反射面の下端部の仮想接線が、下から上に向うに従って前記壁面に近接する方向に傾斜していることを特徴とする。
【００１０】
上述の構成によれば、第二音反射面の下端部の仮想接線が、下から上に向うに従って上述の方向に傾斜していることで、地上から放射状に発せられ、ルーバー構造の下方からルーバー構造に入射する音波が音捕捉部に円滑に導入され、捕捉される。
【００１１】
請求項３記載のルーバー構造は、前記第二音反射面には、前記音捕捉部で捕捉された前記音を前記羽根の上方に向けて出射する音出射部が形成されていることを特徴とする。
【００１２】
上述の構成によれば、第二音反射面に音出射部が形成されていることで、音捕捉部で捕捉された音波がルーバー構造の上方に向けて出射されるので、室内の遮音性能が確実に向上すると共に、ルーバー構造に吸音構造を設ける必要がなく、ルーバー構造の簡易化及び軽量化が図られる。
【００１３】
請求項４記載のルーバー構造は、前記第二音反射面の上端部の仮想接線が、下から上に向うに従って前記壁面から離間する方向に傾斜していることを特徴とする。
【００１４】
上述の構成によれば、第二音反射面の上端部の仮想接線が、下から上に向うに従って上述の方向に傾斜していることで、音捕捉部で捕捉された音波が第一音反射面の上端部によってルーバー構造の上方且つ壁面から離間する方向に偏向されるので、室内の遮音性能がさらに向上する。
【００１５】
請求項５記載のルーバー構造は、建築物の壁面に、上下方向に沿って配置された複数の羽根と、前記複数の羽根を支持する支持体と、を備え、前記羽根における前記建築物の室外側の面には、第三音反射面が設けられ、前記第三音反射面には、前記複数の羽根の下方から入射する音波を捕捉する音捕捉部が形成されていることを特徴とする。
【００１６】
上述の構成によれば、複数の羽根を例えば建築物の各階層の下部に沿って配置することで、室内からの眺望が確保される。また、ルーバー構造の下方からルーバー構造に入射する音波は、羽根における第三音反射面に形成された音捕捉部に捕捉される。このように、交通騒音をはじめ地上からの騒音がルーバー構造の音捕捉部に捕捉されることで、騒音等の音波の室内への進入が抑えられ、室内の遮音性能が向上する。
【００１７】
請求項６記載のルーバー構造は、前記第三音反射面の下端部の仮想接線が、下から上に向うに従って前記壁面に近接する方向に傾斜していることを特徴とする。
【００１８】
上述の構成によれば、第三音反射面の下端部の仮想接線が、下から上に向うに従って上述の方向に傾斜していることで、地上から放射状に発せられ、ルーバー構造の下方からルーバー構造に入射する音波が音捕捉部に沿って円滑に捕捉される。
【００１９】
請求項７記載のルーバー構造は、前記第三音反射面に、前記音捕捉部で捕捉された前記音を前記羽根の上方に向けて出射する音出射部が形成されていることを特徴とする。
【００２０】
上述の構成によれば、第三音反射面に音出射部が形成されていることで、音捕捉部で捕捉された音波がルーバー構造の上方に向けて出射されるので、室内の遮音性能が確実に向上すると共に、ルーバー構造に吸音構造を設ける必要がなく、ルーバー構造の簡易化及び軽量化が図られる。
【００２１】
請求項８記載のルーバー構造は、前記第三音反射面の上端部の仮想接線が、下から上に向うに従って前記壁面から離間する方向に傾斜していることを特徴とする。
【００２２】
上述の構成によれば、また、ルーバー構造の下方からルーバー構造に入射する音（即ち、音波）は、羽根における第三音反射面で反射された後に、第三音反射面の上端部によってルーバー構造の上方且つ建築物から離間する方向に反射されるので、室内の遮音性能がさらに向上する。
【発明の効果】
【００２３】
本発明に係るルーバー構造によれば、且つ地上からの騒音が室内に入るのを効率良く防ぐことができる。
【図面の簡単な説明】
【００２４】
【図１】本発明を適用した第一実施形態のルーバー構造と該ルーバー構造が設置された建築物を示す概略図である。
【図２】本発明を適用した第一実施形態のルーバー構造と該ルーバー構造が設置された建築物を示す図であり、図１の部分拡大図である。
【図３】本発明を適用した第一実施形態のルーバー構造を示す断面図である。
【図４】本発明を適用した第二実施形態のルーバー構造を示す断面図である。
【図５】本発明を適用した第一実施形態のルーバー構造の変形例を示す断面図である。
【図６】本発明を適用した第二実施形態のルーバー構造の変形例を示す断面図である。
【発明を実施するための形態】
【００２５】
以下、本発明を適用したルーバー構造の一実施形態（以下、本実施形態のルーバー構造とすることがある）について、図面を参照して説明する。なお、以下の説明で用いる図面は模式的なものであり、長さ、幅及び厚みの比率等は実際のものと同一とは限らず、適宜変更することができる。
【００２６】
（第一実施形態）
図１に示すように、本発明を適用した第一実施形態のルーバー構造１０は、高層ビル等の建築物Ｂの外壁（壁面）Ｗに、外壁Ｗの面方向に直交する方向Ｄ１（図１では、地面Ｇに平行する方向）に沿って複数配置された羽根１２と、複数の羽根１２を支持する支持体１４と、を備えている。
【００２７】
ルーバー構造１０は、建築物Ｂの外壁のうち、騒音源となる車両Ｃ等が走行する一般道路Ｒ１や一般道路Ｒ１から所定の高さを有して建造された高速道路Ｒ２に面している外壁Ｗに取り付けられ、外壁Ｗのうち、車両Ｃからの騒音が空中を伝搬して外壁Ｗに到達する高さよりも上方に取り付けられている。なお、方向Ｄ１における外壁Ｗへのルーバー構造１０の取り付け位置及びルーバー構造１０同士の間隔は、適宜変更可能であり、特に限定されない。
【００２８】
具体的には、図２に示すように、建築物Ｂは、外壁Ｗの壁面に平行する方向（上下方向）Ｄ２に沿って、床板Ｐで区画された複数の階層Ｌを有している。各階層Ｌは、天井板Ｑによって居室Ｉと天井Ｔとに区画されている。天井Ｔの外壁Ｗ側には、換気部Ａが設けられている。建築物Ｂの壁は、所謂ダブルスキンカーテンウォールのように、方向Ｄ１に沿って所定の間隔をあけて配置された複数のガラス板で構成されている。
第一実施形態のルーバー構造１０は、前述のように車両Ｃからの騒音が空中を伝搬して外壁Ｗに到達する高さよりも上方の階層ＬＡの外壁Ｗに取り付けられている。
【００２９】
図３に示すように、第一実施形態のルーバー構造１０においては、複数の羽根１２が方向Ｄ１に沿って間隔（所定の間隔）Λをあけて複数配置されている。各々の羽根１２における外壁Ｗの壁面に対向する面には、第一音反射面１２aが設けられている。各々の羽根１２における第一音反射面１２ａの反対側の面には、第二音反射面１２ｂが設けられている。
【００３０】
少なくとも第二音反射面１２ｂの下端部の仮想接線Ｊ１は、下から上に向うに従って外壁Ｗに近接する方向に傾斜している。また、第二音反射面１２ｂの上端部の仮想接線Ｊ２は、下から上に向うに従って外壁Ｗから離間する方向に傾斜している。
【００３１】
即ち、第一音反射面１２ａ及び第二音反射面１２ｂの下部は、下から上に向うに従って建築物Ｂに近づくと共に互いに離間し、双方ともに屈折した後、第一音反射面１２ａ及び第二音反射面１２ｂの上部が下から上に向うに従って外壁Ｗから離間すると共に互いに近づくように形成されている。図３には、前述のように屈折形状で形成された羽根１２を例示している。このような羽根１２の屈曲形状の一例として、例えばブーメラン型が挙げられる。
【００３２】
ルーバー構造１０においては、それぞれの羽根１２の第二音反射面１２ｂにおいて屈折位置Ｐより下部が音捕捉部３０として機能する。また、ルーバー構造１０においては、それぞれの羽根１２の第二音反射面１２ｂにおいて屈折位置Ｐより上部が音出射部３２として機能する。
【００３３】
羽根１２は、音反射性を有する素材・材質でできている。このような素材・材質としては、例えばアルミニウム等の金属が挙げられるが、音波を反射可能であれば他の材質でもよい。
【００３４】
支持体１４は、取付具１６によって建築物Ｂの外壁Ｗに取り付けられている取付部１４ｗと、取付部１４ｗの上端から外壁Ｗから離間する方向に延びる上側支持部１４ｕと、取付部１４ｗの下端から建築物Ｂから離間する方向に延びる下側支持部１４ｄで構成されている。複数の羽根１２は、支持体１４の上側支持部１４ｕと下側支持部１４ｄとの間に支持されている。
【００３５】
支持体１４は、ルーバー構造１０に入射する音波及びルーバー構造１０から出射する音波を妨げない素材・材質でできている。このような素材・材質としては、例えばアクリル等の樹脂が挙げられるが、音波を妨げないものであれば他の材質でもよい。
【００３６】
羽根１２及び支持体１４が遮光素材でできていれば、建築物Ｂの上方からの太陽光等が確実に室内に入射し難くなる。また、羽根１２及び支持体１４が外壁Ｗと同様の色に着色されていれば、建築物Ｂの外観上には、ルーバー構造１０が見え難くなる。
【００３７】
以上説明した第一実施形態のルーバー構造１０によれば、第二音反射面１２ｂに音捕捉部３０及び音出射部３２を設けることで、ルーバー構造１０の下方からルーバー構造１０に入射する音波を音反射空間Ｓに導入し、捕捉することができる。音反射空間Ｓに捕捉された音波は、音反射空間Ｓ内で多重反射した後に、羽根１２Ａの第二音反射面１２ｂの上部（上端部）によってルーバー構造１０の上方且つ建築物Ｂから離間する方向に偏向する。従って、図１に示す一般道路Ｒ１や高速道路Ｒ２を走行する車両Ｃからの交通騒音をはじめとする地上から放出され、ルーバー構造１０の下方から入射した騒音をルーバー構造１０の上方且つ外壁Ｗから離間する方向に向けて反射させることができる。これにより、居室Ｉへの騒音の進入を抑え、建築物Ｂの遮音性能を高めることができる。
また、第一実施形態のルーバー構造１０によれば、複数の羽根１２を方向Ｄ１（即ち、略水平方向）に沿って配置し、支持体１４によって複数の羽根１２を支持することで、図１及び図２に示すように、ルーバー構造１０を庇状とし、外壁Ｗを覆う面積を減らすことで室内からの眺望を確保することができる。
【００３８】
また、第一実施形態のルーバー構造１０では、羽根１２の素材・材質として音反射性に加えて光反射性を有する素材・材質を用いることで、居室Ｉへの光の入射量を調整し、建築物Ｂの遮光性能を高めることができる。
また、第一実施形態のルーバー構造１０では、羽根１２及び支持体１４を遮光材料で構成することで、建築物Ｂの上方からの太陽光を遮断し、ルーバー構造１０下方の建築物Ｂの室内への光の入射を抑えることができる。これにより、建築物Ｂの遮光性能を高めることができる。
【００３９】
また、第一実施形態のルーバー構造１０では、ルーバー構造１０を庇状とすることで、日射遮蔽による冷房負荷軽減の効果が図られる。また、図３に例示するブーメラン型の羽根１２のように第一音反射面１２ａの上部を建築物Ｂの上方からの光（例えば、太陽光等）を建築物Ｂの内部に向けて反射させるように、乳白色のポリエチレン等の光反射性を有する素材でルーバー構造１０を構成すれば、ライトシェルフ機能による省エネルギー効果も図られる。
【００４０】
（第二実施形態）
続いて、本発明を適用した第二実施形態のルーバー構造２０について、図４を参照し、説明する。なお、図４では、建築物Ｂの全体については省略し、外壁Ｗについては第一実施形態のルーバー構造１０を取り付ける外壁Ｗと同様であるため、説明を省略する。
【００４１】
図４に示すように、第二実施形態のルーバー構造２０は、建築物Ｂの外壁Ｗに、方向（上下方向）Ｄ２に沿って配置された複数の羽根２２と、羽根２２を支持する支持体１８と、を備えている。
ルーバー構造２０においては、それぞれの羽根１２の第三音反射面１２ｂにおいて屈折位置Ｐより下部が音捕捉部３０として機能する。
ルーバー構造２０においては、それぞれの羽根１２の第三音反射面１２ｂにおいて屈折位置Ｐより上部が音出射部３２として機能する。
【００４２】
羽根２２は、第一実施形態のルーバー構造１０の羽根１２と同様に、高さ方向において屈折した形状で形成されている。羽根２２における建築物Ｂの室外側の面には、第三音反射面２２ｂが設けられている。
【００４３】
第三音反射面２２ｂの屈折位置Ｐより下部（下端部）の仮想接線Ｊ３が下から上に向うに従って外壁Ｗに近接する方向に傾斜している。また、第三音反射面２２ｂの上部（上端部）の仮想接線Ｊ４が下から上に向うに従って外壁Ｗから離間する方向に傾斜している。
図４には、鉛直方向（即ち、方向Ｄ２）に延びる外壁Ｗの壁面に沿って複数並べられた羽根２２を例示している。
【００４４】
羽根２２及び支持体１８の好適な素材・材質等については、第一実施形態のルーバー構造１０の羽根１２及び支持体１４と同様である。
【００４５】
第二実施形態のルーバー構造２０によれば、下方からルーバー構造２０に入射する音（即ち、音波）を、羽根２２における第三音反射面２２ｂで反射させ、第三音反射面２２ｂの音捕捉部３０で捕捉し、第三音反射面２２ｂの音出射部３２によってルーバー構造２０の上方且つ外壁Ｗから離間する方向に偏向することができる。これにより、ルーバー構造２０の下方からの交通騒音をはじめ地上からの騒音をルーバー構造２０の上方且つ外壁Ｗから離間する方向に向けて反射させ、室内の遮音性能を向上させることができる。
【００４６】
なお、羽根２２を建築物Ｂの各階層Ｌの下部に沿って配置することで、室内からの眺望を確保することができる。
【００４７】
以上、本発明の好ましい実施形態について詳述したが、本発明は係る特定の実施形態に限定されるものではなく、特許請求の範囲内に記載された本発明の要旨の範囲内において、種々の変更が可能である。
【００４８】
例えば、ルーバー構造１０の羽根１２の形状は、少なくとも第一音反射面１２ａ及び第二音反射面１２ｂを有していれば、図３に例示したような屈折型に限らず、例えば湾曲型（図５参照）であってもよく、その他の形状であっても構わない。また、ルーバー構造１０の羽根１２は、少なくとも第一音反射面１２ａ及び第二音反射面１２ｂを有する外装部を備えた中空部材で構成されていてもよい。
【００４９】
同様に、ルーバー構造２０の羽根２２の形状は、少なくとも第三音反射面２２ｂを有していれば、図４に例示したような屈折型に限らず、例えば湾曲型（図６参照）であってもよく、その他の形状であっても構わない。また、ルーバー構造２０の羽根２２は、少なくとも第三音反射面２２ｂを有する外装部を備えた中空部材で構成されていてもよい。
【００５０】
また、ルーバー構造１０における複数の羽根１２同士の間隔Λは、一定でなくてもよい。複数の羽根１２同士の間隔Λや第一音反射面１２ａ及び第二音反射面１２ｂの方向Ｄ２に対する傾斜角度は、適宜変更可能である。
【００５１】
また、ルーバー構造２０は、建築物Ｂの床面Ｐと平行に外壁Ｗから方向Ｄ１に延びる延長部と、該延長部から上方に屈曲した立ち上がり部と、を有する支持体（図示略）を備えていてもよい。このような支持体の立ち上がり部の屋外側に、立ち上がり部に沿って複数の羽根２２が設置されていてもよい。
【００５２】
さらに、図１や図２に例示した建築物Ｂの内部構成は、外壁Ｗにルーバー構造１０を取り付け可能であれば、特に制限されない。
【符号の説明】
【００５３】
１０，２０  ルーバー構造
１２，２２  羽根
１２ａ  第一音反射面
１２ｂ  第二音反射面
１４  支持体
２２ｂ  第三音反射面
３０  音捕捉部
３２  音出射部
Ｂ  建築物
Ｊ１，Ｊ２，Ｊ３，Ｊ４  仮想接線
【図１】
2018059322.tif 000003
【図２】
2018059322.tif 000004
【図３】
2018059322.tif 000005
【図４】
2018059322.tif 000006
【図５】
2018059322.tif 000007
【図６】
2018059322.tif 000008